(57)【要約】【課題】    ロータリー耕耘作業機のメインカバー（ロータリーカバー）の回動量を明確に把握する表示手段を設けること【解決手段】  ロータリー耕耘作業機の耕耘部及びその上方ベベルギヤボックス等の駆動部に対して、メインカバーが回動自在であり、メインカバーの回動は、前記駆動部とメインカバーとの間に伸縮ロッドを介在させて、該伸縮ロッドの上端のハンドルにより伸縮を行い、メインカバーの回動状態は、メインカバー上に回動目盛付き銘板を設けて表示し、併せて、回動状態を示すアラームを設置する。  なお、回動目盛付き銘板の他に、伸縮ロッドに指示銘板を設け、伸縮ロッドの伸縮量の表示手段を設けても良い。【選択図】        図１
2006025675.tif 000002
【特許請求の範囲】
【請求項１】
ロータリー耕耘作業機の耕耘部及びその上方ベベルギヤボックス等の駆動部に対して、メインカバーが回動自在であり、メインカバーの回動は、前記駆動部とメインカバーとの間に伸縮ロッドを介在させて、該伸縮ロッドの上端のハンドルにより伸縮を行い、メインカバーの回動状態は、メインカバー上に回動目盛付き銘板を設けて表示するロータリー耕耘作業機において、回動状態を示すアラームを設置した事を特徴とするロータリー耕耘作業機
【請求項２】
ロータリー耕耘作業機の耕耘部及びその上方ベベルギヤボックス等の駆動部に対して、メインカバーが回動自在であり、メインカバーの回動は、前記駆動部とメインカバーとの間に伸縮ロッドを介在させて、該伸縮ロッドの上端のハンドルにより伸縮を行い、メインカバーの回動状態は、メインカバー上に回動目盛付き銘板を設けて表示するロータリー耕耘作業機において、該伸縮ロッドに指示銘板を設け、伸縮ロッドの伸縮量の表示手段を設けた事を特徴とするロータリー耕耘作業機
【発明の詳細な説明】
【技術分野】
【０００１】
本発明は、ロータリー耕耘作業機のメインカバーの回動量表示に関するものである。
【背景技術】
【０００２】
トラクタにロータリー耕耘作業機を接続して、耕耘作業をおこなう場合に、ロータリー耕耘作業機に関する従来機（図１参照）は、トラクタの後方に、トップリンク１本、ロワリンク２本を持つ３点リンク機構等の連結機構を介して昇降及び左右傾動自在に装着されるもので、中央上部に配置されたベベルギヤボックス１の上方にマスト４が設けられ、ベベルギヤボックス１から左右両側方に延出されたメインビーム３の各中途部には支持プレート５が固設されて、マスト４の前端に図示省略のトップリンクの後端が枢支され、各支持プレート５の前端に図示省略のロワリンクの後端がそれぞれ枢支されている。
【０００３】
トップリンク、各ロワリンクは油圧装置に連係しており、ロータリー耕耘作業機は油圧装置によって昇降作動されるようになっている。各支持プレート５の後端にはデプスフレーム６が枢支されている。また、トラクタのＰＴＯ軸（動力取出し軸）が図示省略のユニバーサルジョイント付ドライブ軸を介してベベルギヤボックス１に突設された入力軸２に連結され、ＰＴＯ軸からの動力が入力軸２に伝動されるようになっている。
【０００４】
ベベルギヤボックス１内にはベベルギヤ群が設けられ、ベベルギヤボックス１から一側方に延出したメインビーム３の端部にチェーンケース７が取付けられ、他側方に延出したメインビーム３の端部にはサイドフレーム８が取付けられている。そして、チェーンケース７の下部とサイドフレーム８の下部との間に、それぞれ軸受を介してロータリー耕耘爪軸９が回動自在に軸架されている。
【０００５】
チェーンケース７には、入力スプロケット、チェーン及び出力スプロケット等からなるチェーン伝動機構が内装され、その入力スプロケットはベベルギヤ群のギヤ出力を伝動する伝動軸１１に固定され、出力スプロケットはロータリー耕耘爪軸９に連係する出力スプロケット軸に固定されている。
このようにして、ロータリー耕耘爪軸９は、トラクタのＰＴＯ軸からの動力により、入力軸２、ベベルギヤ群、伝動軸１１及びチェーン伝動機構等を介して回転駆動されるようになっている。そして、このロータリー耕耘爪軸９に、複数の耕耘爪１２が放射状に取り付けられて耕耘部１３が構成されている。
【０００６】
耕耘部１３の直上方には、この耕耘部１３の上方を覆うメインカバー（ロータリーカバー）１４が設けられている。
メインカバー１４は、両側板部の部分でチェーンケース７の内側及びサイドフレーム８に、それぞれボルト締結等により固定されている（図示せず）。
メインカバー１４の前方には、耕耘部１３の前方を覆うフロントカバー１５が、メインビーム３から延出されたステー１６にボルト締結により取付けられている。
また、メインカバー１４の後方には、耕耘部１３の後方を覆うリヤカバー１０が、ヒンジ（図示せず）により上下方向に揺動可能に取付けられている。
【０００７】
リヤカバー１０の下端部近傍の左右両側には、リヤサイドカバー１９がボルト締結により固定され、リヤカバー１０の下端側には、耕耘部１３の作動による耕耘面を整地する整地板２２が取付けられている。また、又２０は、サイドアンダーカバーであり、リヤカバー１０と連動して上下する。
【発明の開示】
【発明が解決しようとする課題】
【０００８】
ところで、この様な従来のロータリー耕耘作業機では、メインカバー（ロータリーカー）１４の回動量を表示する部分は、メインカバー（ロータリーカバー）１４に有ったが、操作部分から比較的遠く、しかも耕耘作業が土との戦いなので、表示部分も見づらく、改善が必要であった。
【課題を解決するための手段】
【０００９】
上記課題を解決するために、本発明は、ロータリー耕耘作業機の耕耘部及びその上方ベベルギヤボックス等の駆動部に対して、メインカバーが回動自在であり、メインカバーの回動は、前記駆動部とメインカバーとの間に伸縮ロッドを介在させて、該伸縮ロッドの上端のハンドルにより伸縮を行い、メインカバーの回動状態は、メインカバー上に回動目盛付き銘板を設けて表示するロータリー耕耘作業機において、回動状態を示すアラームを設置したロータリー耕耘作業機を提供するものである。
なお、回動目盛付き銘板の他に、伸縮ロッドに指示銘板を設け、伸縮ロッドの伸縮量の表示手段を設けても良い。
【発明の効果】
【００１０】
（１）請求項１記載の本発明では、メインカバーの回動状態は、メインカバー上に回動目盛付き銘板を設けて表示するロータリー耕耘作業機に、回動状態を示すアラームを設置したので、回動状態がアラームによって確認でき、回動状態の把握が遠くからでも可能になった。
【００１１】
（２）請求項２記載の本発明では、回動目盛付き銘板の他に、伸縮ロッドに指示銘板を設け、伸縮ロッドの伸縮量の表示したので、手動で操作中にハンドルを回しながら、メインカバーの回動状態が確認できる。
【発明を実施するための最良の形態】
【００１２】
以下、本発明の実施の形態を説明する。
図１及び図２は本発明の第１実施例を示すもので、メインカバー（ロータリーカバー）１４は、メインビーム３、デプスフレーム６、チェーンケース７等（以下固定部分という）に対して、回動可能に構成されており、回動によりロータリーを用いた様々な作業に対応出来るようになっている。そのロータリー回動機構３０は、マスト４より支持ロッド３２が横設され、また、メインカバー１４には、左右対象の立設支持体３４が設けられ、立設支持体３４の上部にはピン３６が軸支されている。そして、ピン３６には、伸縮ロッド３８が回動自在に軸架されており、伸縮ロッド３８の上端には、ハンドル４０が設けられ、伸縮ロッド３８の上部は、支持ロッド３２で、固定されている。そうして、ハンドル４０を回動することで、伸縮ロッド３８が伸び縮みし、メインカバー（ロータリーカバー）１４は、前記固定部分に対して、ロータリー耕耘爪軸９に対して回動することになる。
【００１３】
前記ハンドル４０を回動することで、ロータリー耕耘作業機は、深耕し→耕耘→浅耕し→代（しろ）かきの四種類の作業が可能となる。そして、代かきは、伸縮ロッド３８を伸ばすことでメインカバー１４が前に移動し、ロータリーが前重心になり、掘る深さが浅くなる（図３の（Ａ）参照）。逆に、深耕しは、伸縮ロッド３８を縮ませるので、メインカバー１４を後ろに移動し、ロータリーが後重心になり、掘る深さ深くなる（図３の（Ｂ）参照）。その中間は、浅耕しである。
図２の５０は、前記のハンドル４０の回動により、メインカバー１４の位置が変化し、どの作業に適するかを表示した回動目盛付き銘板である。回動目盛付き銘板５０では、前述した代（しろ）かき→浅耕し→耕耘→深耕しのどの作業に適するかを指示針５２で表示するようになっている（図４参照）。なお、位置がデジタル的に分かる合わせマークを表示するものでも良い。作業者は、回動位置表示部５０の指示針５２の位置表示を見て、メインカバー１４の設置情報を知り、ハンドル４０を修正し、最適の作業を行えるようにするのである。なお、ハンドルの操作は手動で行えるが、電動で移動する構造でも良い。
【００１４】
そして、回動目盛付き銘板５０に、アラーム５４（図１参照）を設け、メインカバー１４が前記の個々の代（しろ）かき、浅耕し、耕耘、深耕しの回動位置に回動目盛付き銘板５０の指示針５２が来たときに、各作業位置が分かるアラーム音等を鳴らす。アラーム音は、各回動位置により、異なる音にしても良い。例えば、各回動位置に対応したメロディーを鳴らしても良い。これにより作業中にアラーム音を参考にして、回動位置を若干ずらすことも可能である。
【００１５】
図４（Ａ）は、回動目盛付き銘板５０の指示針５２に回動目盛付き銘板５０の拭き取り装置５６を設けたものである。指示針５２や拭き取り装置５６は固定なので、メインカバー１４が回動することで、回動目盛付き銘板５０の表面を清掃出来る。図４（Ｂ）は図４（Ａ）とは別の実施例であり、拭き取り装置５６で指示針５２を代用したものである。拭き取り装置５６は長孔５８により上下に可動が可能である。
【００１６】
図５（Ａ）は、回動位置表示について、伸縮ロッド３８に指示銘板６０を設けて、メインカバー１４の回動量を表したものである。図５（Ｂ）に示すように指示針６２は、板状で下部は半円形状で孔６４が設けられ、上部は内側に折れ曲がり部６６が設けられている。指示針６２の孔６４にピン３６が嵌合する様にする。
そして、伸縮ロッド３８の伸縮量に比例して図６のように、指示針６２の上部の折れ曲がり部６６が示す部分が、指示銘板６０中で上下するようにする。これにより、メインカバー１４の回動量が示され、メインカバー１４の回動位置表示が可能となり、回動目盛付き銘板５０と同等の機能を果たすことになる。
図６において、（Ａ）は回動量が少なく、ロータリー耕耘作業機の重心が後ろに来ていて、耕耘の深さが深い状態を示すものであり、（Ｃ）は回動量が多く、重心が前に来て、その分耕耘の深さが浅い状態を示すものである。（Ｂ）は、（Ａ）と（Ｃ）の中間である。
このように、伸縮ロッド３８に指示銘板６０を設けると、ハンドルの操作位置周辺に、メインカバーの回動位置を示す表示が設けることが出来るので、回動量の把握が簡易である。又位置的に回動目盛付き銘板５０に比較して、汚れにくい場所なので、表示が見やすい。
【００１７】
本発明の図２には、円形の水準器７０が、メインカバー１４の外表面に設けられており、水準器には、図７（Ａ）に示すように小円形の最適姿勢範囲７２が中心に表示されており、かつ中心を通過するように十字７４が描かれている。円形の水準器７０には気泡７６が封緘されており、気泡７６が中心の十字部分に来れば、メインカバー１４は水平である。このようにどの耕耘深さで作業する場合でも、ロータリー耕耘作業機の絶対水平を保つこと必要であり、メインカバー（ロータリーカバー）やリアカバーの姿勢が一定となるようにその都度回動を調整をすれば、最適な姿勢になり、作業の仕上がりが良好になる。また逆に仕上がりが良い場合に、その原因を探ることにも使用できる。
【００１８】
図７（Ｂ）は、図７（Ａ）の水準器の変型実施例であり、水準器８０自体が横長の形状である。そして中央付近に縦に二重線８２が表示されている。気泡８４はこの二重線の中に入れば、少なくとも水平であるといえる。水準器８０は横長であり、従ってロータリー耕耘作業機の進行方向の水平は図りにくいが、ロータリー耕耘作業機の横方向の水平は計測しやすい。従って横方向の仕上がりは良好となる。
【００１９】
本発明は以上の実施例に限定されない。又本発明の目的に反しない限り、以上の各実施例を結合して実施しても良い。
【図面の簡単な説明】
【００２０】
【図１】本発明の実施の形態であるロータリー耕耘作業機の左側面図。
【図２】図１と同種のロータリー耕耘作業機の部分平面図（但し回動目盛付き銘板５０の位置が図１と異なる）
【図３】メインカバーの回動状態によるロータリー耕耘作業機の傾きを説明した説明図（但しＡは浅い耕耘、Ｂは深い耕耘）
【図４】Ａ及びＢは回動目盛付き銘板５０の他の実施例の説明図
【図５】Ａは伸縮ロッド３８に指示針６２を設けた実施例の説明図であり、Ｂは指示針６２の正面図（向かって右）と側面図（向かって左）
【図６】Ａ、Ｂ、Ｃはメインカバーの回動状態により伸縮ロッド３８と指示針６２の位置関係が変化した状態を示す正面図
【図７】Ａ及びＢはメインカバーに水準器を設けた実施例を示す説明図
【符号の説明】
【００２１】
１４  メインカバー
３８  伸縮ロッド
４０  ハンドル
５０  回動目盛付き銘板
５４  アラーム
６０  指示銘板
【図１】
2006025675.tif 000003
【図２】
2006025675.tif 000004
【図３】
2006025675.tif 000005
【図４】
2006025675.tif 000006
【図５】
2006025675.tif 000007
【図６】
2006025675.tif 000008
【図７】
2006025675.tif 000009